(57)【要約】      （修正有）【課題】砥石を決して傷つけず、様々な形状や寸法の違う砥石を一つの砥石台で安定した狭持ができる砥石台を提供する。【解決手段】長方形の土台の上面の前後端へ長手方向に上面から下面へと貫通するように設けた貫通長溝レール２に溝滑り角材４と角材留め具５とボルト６の集合体をセットし、貫通長溝レールに沿ってスライド自在と回動自在の役目を果たす自由度の効く仕組みにした。この一定方向のスライドと自在度のある留め具により砥石を所定位置に固定することが可能であり簡単に脱着も可能となる。【選択図】図１
0003206907.tif 000002
【実用新案登録請求の範囲】
【請求項１】
上面が平坦な長方形の土台に上面の前後端方向に上面から下面に貫通するボルト幅厚の貫通長溝レールを設け、前記貫通長溝レール内に前後端方向にスライド自在な独立した２つの溝滑り角材を設け、前記夫々の溝滑り角材に取り付けられ前記土台の上面でスライドする角材留め具よりなる一対の集合体を有し、前記ボルトは貫通長溝レールの下面に突出して蝶ネジをねじ込み、前記集合体をスライドして、前記角材留め具間の所定位置に砥石を設置し、前記蝶ネジで砥石を狭持固定したことを特徴とする砥石台。
【請求項２】
前記角材留め具は、前記ボルトにより溝滑り角材に回動自在に取り付けたことを特徴とする請求項１に記載の砥石台。
【考案の詳細な説明】
【技術分野】
【０００１】  本考案は、長方形の上面平坦にボルト幅厚の貫通した長溝を設け、砥石を自在に可動狭持する２対の留め具を設けた砥石台に関するものである。
【背景技術】
【０００２】  一般の人造砥石や天然砥石は、大中小又は変動型と砥石の形状や寸法が一定では無く、同一の砥石台へ様々な形状の砥石を設置するのは不可能であった。その為砥石台は砥石の数だけ必要とした。【０００３】  砥石を挟む場合において、鉄物のネジ締めのよるものは経年変化で錆が生じ説着の困難となった。又、砥石の装着にあたり砥石の厚さ以上に留め具が厚物であったり金物の突起物があると、厚みの薄い砥石には対応できず刃物を当て破損するおそれがある。
【先行技術文献】
【特許文献】
【０００４】
【特許文献１】  公開実用新案公報  平２−２７８６１号公報
【考案の概要】
【考案が解決しようとする課題】
【０００５】  砥石には、個々に性質の多様性があり、個々の砥石に対応する砥石台が必要であり、その持ち運びや保管場所に負担があった。そこで、砥石の長さや形状等の如何に関わらず、一つの砥石台で所定位置へ各種形状の砥石を簡便設置が出来る事、又、金具の腐食による脱着困難、又、砥石台上面の留め具の突起金具による作業性の違和感を解決しようとするものである。
【課題を解決するための手段】
【０００６】  本考案は、上面が平坦な長方形の土台に、長手方向の上面中央へ前後端方向に、上面から下面へと貫通するボルト幅厚の貫通長溝レールを設け、この貫通長溝レールにボルトをスライドさせる役目と共に砥石の設置を自由にする基盤としたものである。【０００７】  前記貫通長溝レール内に、前後端方向にスライド自在な独立した２つの溝滑り角材を設け、前記夫々溝滑り角材に取り付けられ、前記土台の上面でスライドする砥石を狭持する角材留め具よりなる一対の集合体を有した。前記集合体のボルトは貫通長溝レールの下面へと突出して蝶ネジを設置、前記集合体をスライドして、角材留め具間の所定位置に砥石を置き、前記蝶ネジをねじ込み、砥石を狭持し固定収設する。この砥石台は、砥石の所定位置を選ばず自在に長方形土台の上面を水平方向へスライドと回動自在となり、これにより多様な形状の砥石を狭持可能となり、使用上の安定感も増した砥石台となり、従来の問題点も解決している。
【考案の効果】
【０００８】  上述のように、本考案の砥石台は各々２つの集合体がスライドと回動自在によって、砥石を固定するもので、スライドと回動自在によって固定する。砥石は土台の所定位置に置き、夫々集合体を可動させて挟み、長方形の土台の下部に突出するボルトに蝶ネジで締め付けて完了する固定方法あるため、砥石のセットが早く済む。砥石を狭持する２つの角材留め具は砥石の長さがミリ単位の寸法の違いであっても砥石を選ばず固定を可能とすることにより、この一台の砥石台に収設固定が可能となった。又、砥石台に関わる金物はステンレス素材で構成しており、長期間の性能を保持する。
【図面の簡単な説明】
【０００９】
【図１】  本考案の砥石台の一実施例を示す上部斜面図である。
【図２】  同じく一実施例を示す下部斜面図である。
【図３】  同じく上部平面図である。
【図４】  同じく下部平面図である。
【図５】  同じく砥石と側面図である。
【図６】  同じく砥石と断面図である。
【考案を実施するための形態】
【００１０】  長方形の土台の上面平坦の砥石を狭持する角材留め具とステンレス製のボルトを組み合わせた集合体を滑らせるごとに配置は基本としているから、一定に長溝レールの溝上を安定性したスライドが行える。前記長溝レールの長手方向の前後端センターには、長方形の土台上面から土台下面へ貫通する貫通長溝レールを設け、この貫通長溝レール内をボルトがスライド可能とした。
【００１１】  前記角材留め具と溝滑り角材とステンレス製のボルトを一対に組み合わせた集合体が水平移動できることで、砥石を所定位置に配置できる。前記の位置で土台下部の蝶ネジでどちらか一方を締め固定し、もう一方の集合体で狭持固定し前記動作をすることで設置完了となる。又、前述の砥石を狭持固定する角材留め具の上部平坦は、ボルトの頭部を埋め込ませることで刃物が当たり傷つかないものとしている。そして、角材留め具を回動自在にしているため、天然砥石等の変形砥石に至っても狭持固定が可能となり、脱着時においても蝶ネジ一つゆるめれば簡単に取り外しが行える。
【００１２】  以下、添付図面に従って一実施例を説明する。土台１は木質材と樹脂材で構成する。
土台１の上面の長溝レール２と土台１の下部の貫通長溝レール３へ、溝滑り角材４、４と砥石を狭持固定する角材留め具５、５とステンレス製のボルト６、６を一対にした集合体を二ヶ所設置すれば、この集合体４、５、６はスライド状態となる。砥石ａを土台１の上面平坦部へ所定位置に置き、前記一対の集合体４、５、６のどちらか一方を土台１の下部のワッシャー７、７と蝶ネジ８、８で締め、残り一対の集合体４、５、６で砥石ａに合わせて挟み、前記の動作にて狭持して締めれば固定装着となる。砥石ａの取り外しは、前述のステンレス製の蝶ネジ８、８をどちらか一方ゆるめることで素早く砥石ａを外すことができる。本考案の一実施例は、この構成からなり、狭持の仕組みを簡素かつ確実に行える。
【００１３】  前記角材留め具５、５は回動自在にしたことによって、例えば自然砥石の端縁が変形し両端が平行になっていないものであっても角材留め具５、５が砥石の端縁に応じて回動しキッチリとした固定ができる。
【符号の説明】
【００１４】１  長方形の土台
２  長溝レール
３  貫通長溝レール
４、４  溝滑り角材
５、５  角材留め具
６、６  ボルト
７、７  ワッシャー
８、８  蝶ネジ
９、９  足
１０、１０、１０、１０  ゴム
【図１】
0003206907.tif 000003
【図２】
0003206907.tif 000004
【図３】
0003206907.tif 000005
【図４】
0003206907.tif 000006
【図５】
0003206907.tif 000007
【図６】
0003206907.tif 000008